(57)【要約】  【課題】パネル部材同士の接合部における防水機能、防風機能および防音機能を向上させ、且つ、パネル部材の交換作業を容易にする。  【解決手段】建物１１の壁部に立設された複数のパネル部材１７〜２１を相互に脱着可能に接合して成る脱着式壁パネル１３において、隣接するパネル部材１７〜２１の外面に、接合部を封止するための帯状のシール材２３を配置する。該シール材２３は縦長の押圧カバー２４により押圧保持して固定する。又、押圧カバー２４は左右両側部に突起２８を有する断面コ字状に形成する。更に、該押圧カバー２４の突起２８は、各パネル部材１７〜２１の接合端部近傍の外壁面に形成した各縦溝２５に嵌合装着する。【選択図】図１
2008095279.tif 000002
【特許請求の範囲】
【請求項１】
建物の壁部に立設された複数のパネル部材を相互に脱着可能に接合して成る脱着式壁パネルにおいて、前記パネル部材同士の接合部外面に帯状のシール材を配設すると共に、該シール材を断面コ字状の押圧カバーにより押圧して保持固定したことを特徴とする脱着式壁パネル。
【請求項２】
上記押圧カバーは左右両側に突起を有し、該突起は上記パネル部材同士の接合部両側に形成した縦溝に嵌合して装着されていることを特徴とする請求項１記載の脱着式壁パネル。
【請求項３】
上記押圧カバーの上端部は天井側上梁に固設した断面コ字状の保持部材に差し込んで保持され、且つ、前記押圧カバーの下端部は床側下梁又は基礎土台に固設した断面Ｌ型の支持プレートに載置されていると共に、押え金具により上記シール材側に押し付けて固定されていることを特徴とする請求項１又は２記載の脱着式壁パネル。
【発明の詳細な説明】
【技術分野】
【０００１】
本発明は脱着式壁パネルに関するものであり、特に、組立・分解可能なユニットハウス等の外壁を形成する際に使用される脱着式壁パネルに関するものである。
【背景技術】
【０００２】
従来、此種脱着式壁パネル、例えば、建設現場等で事務所や倉庫として設置されるユニットハウスの壁パネルを施工する際は、図６に示すように、ユニットハウス１の床骨格２の四隅に柱用フレーム３を垂直に固定した後、該柱用フレーム３に複数のパネル部材４ａ，４ｂを脱着可能に接合して並設している。尚、所定位置のパネル部材４ａ，４ｂには必要により窓やドアが設けられる。
【０００３】
前記壁パネルの構造としては、施工現場での組立・分解性等を考慮して、ユニットハウスのフレームに間柱等を設けて複数のパネル部材を固定する構造、或いは、複数のパネル部材の側端面に所定形状（板状及び屈曲形状を含む）の接続プレートを設け、且つ、該接続プレートをチャンネル形状のカバー部材で覆い、これらをボルト等で締結してパネル部材同士を連結する構造が知られている（例えば、特許文献１参照）。
【特許文献１】特開２００１−１８２１６０号公報。
【発明の開示】
【発明が解決しようとする課題】
【０００４】
しかし、このように構成すると、間柱の設置や接続プレート等の加工を必要とし、コスト及び施工作業の観点から不利となり、複数のパネル部材の組立・分解性が低下する。特に、各パネル部材の側端面（接合端面）に縦溝又は凸起を形成して、隣接するパネル部材同士を左右方向に順次凹凸嵌合して連結する方式では、任意のパネル部材を単独で取り外すことができない。
【０００５】
従って、壁パネルの左右方向中間に配設された１枚のパネル部材を別のものと交換する場合、当該パネル部材の左右両側に配設されたパネル部材も取り外す必要があり、パネル部材の交換作業が面倒であった。更に、パネル部材の側端面に接続プレート等を設ける構造では、パネル部材同士の接合部に隙間が生じ易い。又、該隙間を閉鎖するために、シール材をパネル部材同士の接合部に装着した場合、パネル部材の側端面に設けた接続プレート等が邪魔になり、所要のシール性を確保することが困難になり、防水性能、防風性能及び防音性能が低下するという問題があった。
そこで、複数のパネル部材間の防水機能および防音機能を向上させ、且つ、任意のパネル部材の交換作業を容易にするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、建物の壁部に立設された複数のパネル部材を相互に脱着可能に接合して成る脱着式壁パネルにおいて、前記パネル部材同士の接合部外面に帯状のシール材を配設すると共に、シール材を断面コ字状の押圧カバーにより押圧して保持固定する脱着式壁パネルを提供する。
【０００７】
この構成によれば、隣接するパネル部材同士の接合部外面にシール材を設けたので、該接合部の隙間が生じても、該隙間はシール材により効果的に封止される。又、シール材は断面コ字状の押圧カバーにより押圧して保持固定される。このため、例えば、複数のパネル部材のうち、中間位置のパネル部材一枚を交換する際は、該パネル部材の両側に配置さ
れた押圧カバーのみを取り外すことにより交換できる。この場合、中間位置のパネル部材の両側に隣接する他のパネル部材は取り外す必要がない。
【０００８】
請求項２記載の発明は、上記押圧カバーは左右両側に突起を有し、該突起は上記パネル部材同士の接合部両側に形成した縦溝に嵌合して装着されている請求項１記載の脱着式壁パネルを提供する。
【０００９】
この構成によれば、上記押圧カバーの突起は、上記パネル部材の縦溝に嵌合して装着するので、該縦溝の水や空気の進入経路が階段状に屈曲して長くなり、その分だけシール作用が高まる。
【００１０】
請求項３記載の発明は、上記押圧カバーの上端部は天井側上梁に固設した断面コ字状の保持部材に差し込んで保持され、且つ、前記押圧カバーの下端部は床側下梁又は基礎土台に固設した断面Ｌ型の支持プレートに載置されていると共に、押え金具により上記シール材側に押し付けて固定されている請求項１又は２記載の脱着式壁パネルを提供する。
【００１１】
この構成によれば、上記押圧カバーの上端部を天井側上梁に固設した保持部材に差し込んだ後、該押圧カバーの下端部を床側下梁又は基礎土台に固設した断面Ｌ型の支持プレートの上に載置する。そして、該押圧カバーの下端部を押え金具によりシール材側に押し付けて固定する。これにより、シール材は押圧カバーにより適度な押圧力を受けて保持される。
【発明の効果】
【００１２】
請求項１記載の発明は、パネル部材同士の接合部外面をシール材により面接触して直接封止したので、シール材をパネル部材に当接する押圧カバーにて押し付けたことと相まって、当該接合部に対する防水機能、防風機能および防音機能が従来に比べて向上し、又、左右方向中間のパネル部材を交換する場合、隣接する両側のパネル部材を取り外す必要がなく、この場合、押圧カバーのみを取り外せば良いので、パネル部材の交換作業を容易迅速に行うことができる。
【００１３】
請求項２記載の発明は、前記パネル部材の縦溝に押圧カバーの突起が嵌合することにより、パネル部材と押圧カバー間の雨水（液体）又は空気（気体）の進入経路が屈曲して長くなるので、請求項１記載の発明の効果に加えて、パネル部材同士の接合部分における防水性能、防音性能及び防風性能が一層向上する。
【００１４】
請求項３記載の発明は、前記シール材は押圧カバーにより適度な力で弾性的に押し付けることができるので、請求項１又は２記載の発明の効果に加えて、シール材を常に安定して保持固定できると共にシ−ル効果が更に高められる。
【発明を実施するための最良の形態】
【００１５】
本発明は、パネル部材同士の接合部における防水機能、防風機能および防音機能を向上させ、且つ、パネル部材の交換作業を容易にするという目的を、建物の壁部に立設された複数のパネル部材を相互に脱着可能に接合して成る脱着式壁パネルにおいて、前記パネル部材同士の接合部外面に帯状のシール材を配設すると共に、該シール材を断面コ字状の押圧カバーにより押圧して保持固定することにより実現した。又、本発明に係る押圧カバーは、その両側先端面をパネル部材外面に接触させることにより、高いシール機能を発揮させることができる。
【実施例】
【００１６】
以下、本発明の好適な一実施例を図１乃至図５に従って説明する。図１は本実施例に係
る脱着式壁パネルを設置した建物を示す斜視図、図２は脱着式壁パネルを構成するパネル部材及び押圧カバーを示す分解斜視図、図３は図１のパネル部材及び押圧カバーを示す拡大斜視図、図４は図３のパネル部材及び押圧カバーの取り付け状態を説明する詳細図、図５は押圧カバーの上下両端の固定部を示す説明図である。尚、図示例は１階建ての建物の壁パネルに適用した例を示すが、本発明は二階以上の建物の壁パネルにも適用可能である。
【００１７】
図１に於いて、１１はユニットハウス等の建物であり、該建物１１の四隅には柱１２が設けられている。この建物１１の外壁は、予め工場にて一定の規格寸法に生産された脱着式壁パネル１３により形成され、該壁パネル１３は、天井１４側に設けた上梁１５と、床側に設けた下梁（又は基礎土台）１６との間に建て込まれている。又、該壁パネル１３は複数のパネル部材１７〜２１から構成され、これらパネル部材１７〜２１はその側面同士を相互に突き合わせて並設され、隣接するパネル部材１７〜２１同士は互いに脱着可能に接合されている。図示例では、図１及び図２に示すように、左側から２番目に配置したパネル部材１８には窓（又はドア）２２が形成されている。
【００１８】
図３（ａ）に示すように、隣接するパネル部材１７〜２１の接合部外面には、該接合部を封止するためのシール材２３が配置され、該シール材２３は所定幅を有する帯状に形成されている。このシール材２３の材質は特に限定されるべきではなく、所要の柔軟性と強度を有するゴム材、合成樹脂等を使用することができる。又、図３（ｂ）に示すように、シール材２３は、その外側に配設した縦長の押圧カバー（締め付け具）２４により適度な締め付け力で押圧して保持固定されている。尚、押圧カバー２４はパネル部材１７〜２１の接合部に跨がるように設けられ、且つ、該押圧カバー２４の長さは、シール材２３及びパネル部材１７〜２１の上下方向の寸法と略一致している。
【００１９】
又、パネル部材１７〜２１の接合部近傍の外面側（室外Ｓ側）には縦溝２５が形成され、該縦溝２５は各パネル部材１７〜２１の接合部に沿って上下方向に延伸している。図３に示すように、パネル部材１７〜２１の接合部と縦溝２５との間には凸部２６が形成され、該凸部２６の先端面には前記シール材２３が適度な弾性力で密接している。
【００２０】
尚、凸部２６の先端部は、シール材２３と押圧カバー２４の合計の厚さ分だけ切欠されている。このため、押圧カバー２４の外面はパネル部材１７〜２１と面一に形成されている。又、前記縦溝２５の溝幅は、その開口端方向に向かって漸次幅広に形成され、本実施例では、縦溝２５内の一側面（接合部に近い側の内面）が他側面に対し若干傾斜している。
【００２１】
前記押圧カバー２４は、シール材２３と略同一の左右幅を有する背板２７と、該背板２７の左右幅方向両側に直角に折曲形成された一対の突起（歯部）２８，２８とから成り、横断面コ字状に形成されている。又、一対の突起２８，２８は、各パネル部材１７〜２１の接合部を挟む左右両側に形成した縦溝２５，２５に嵌合して装着され、該突起２８，２８の先端面は、縦溝２５，２５の内底面に密接している。
【００２２】
次に、上記パネル部材１７〜２１の接合部にシール材２３を押圧カバー２４にて保持固定する構造について、その一例を図４及び図５に基づいて詳しく説明する。先ず、コ字状の押圧カバー２４の背板２７内面にシール材２３を装着した後、図４に示すように、押圧カバー２４の上端部及び下端部を天井側上梁１５及び床側下梁１６に取り付ける。  
【００２３】
具体的には、押圧カバー２４の上端部を天井側の上梁１５に取り付ける場合は、図５（ａ）に示すように、コ字状に形成された下面開放タイプの保持部材２９を上梁１５下面に溶接等にて固着し、該保持部材２９に押圧カバー２４の上端部を下方より差し込んで嵌挿
する。然る後、押圧カバー２４の下端部を床側の下梁１６に固定する。即ち、図５（ｂ）に示すように、下梁１６の左右幅よりも長い縦断面Ｌ字型の支持プレート３０の一側部を下梁１６の上面に溶接等にて取り付ける。この場合、支持プレート３０の他側部は、下梁１６の外側に所定寸法だけ延出させる。
【００２４】
次いで、支持プレート３０の一側部上面に押圧カバー２４の下端部を載置し、該押圧カバー２４の下端部を支持プレート３０上面に対して垂直に立設する。この後、略Ｚ形に形成された押え金具３１の一側上部を押圧カバー２４の一側面に押し当て、この状態のまま、押え金具３１の他側下部を支持プレート３０の上面に重ねる。
【００２５】
而して、押え金具３１の他側下部に形成した長孔３２の所要位置にボルト３３を挿入し、該ボルト３３にナット３４を螺合して締結固定する。この場合、押え金具３１は長孔３２の長手方向、即ち、押圧カバー２４に対し離反接近する方向の任意位置に移動させて取り付けることができる。このため、押え金具３１を所定位置に固定して締結することにより、押圧カバー２４を所要の押し付け力にて締着することができる。
【００２６】
このように、押圧カバー２４の上端部を上梁１５に固設した保持部材２９に差し込んだ後、押圧カバー２４の下端部を下梁１６に固設した支持プレート３０の上に載置し、押圧カバー２４の下端部を押え金具３１によりシール材２３側に押し付けて固定することにより、シール材２３を適度な押圧力で保持固定できる。斯くして、該シール材２３を常に安定して保持固定できると共に、高いシール効果を得ることができる。
【００２７】
上述したように、本実施例の脱着式壁パネル１３によれば、各パネル部材１７〜２１はいずれも、その隣接した両側のパネル部材を取り外すことなく単独で脱着できる。従って、窓等を設けたパネル部材１８、或いは、窓またはドア等を何ら設けていないパネル部材１７，１９〜２１と交換して取り替えることができる。その際、作業者はボルト３３を緩めて押圧カバー２４のみを取り外せばよいので、個々のパネル部材１７〜２１の交換作業を容易迅速に行える。
【００２８】
因みに、従来例では、複数の各パネル部材の側面に縦溝又は突起を形成し、隣接するパネル部材の縦溝又は突起を左右方向に嵌合して順次連結していたので、複数のパネル部材のうち左右方向中間に配置されたパネル部材を交換するときは、交換対象以外のパネル部材も取り外す必要があり、多くの手間を要していた。その点、本発明は交換対象であるパネル部材１７〜２１のいずれか１枚のみを単独で取り外せばよいので、交換作業を非常に効率良く実施できる。
【００２９】
又、各パネル部材１７〜２１はいずれも、全ての外形寸法が同一のもの、或いは、左右幅寸法のみが２倍、３倍等の整数倍だけ異なるものを使用できる。従って、目的とする任意のパネル部材１７〜２１を他の単数又は複数のパネル部材１７〜２１と自由に取り替えることができる。
【００３０】
更に、本発明では、パネル部材１７〜２１外面に設けた個々の縦溝２５の凸部２６と各押圧カバー２４の背板２７との間にシール材２３を介装し、且つ、各押圧カバー２４の突起２８，２８の先端面が、縦溝２５，２５の内底面に密接している。従って、パネル部材１７〜２１同士の接合部に隙間が生じていても、該隙間はシール材２３及び押圧カバー２４により効果的に閉塞され、防水性能、防風性能および防音性能が更に向上する。
【００３１】
更に又、パネル部材１７〜２１の接合部外面の各縦溝２５内には、各押圧カバー２４の両側に設けた突起２８が嵌合装着されている。従って、各縦溝２５と前記押圧カバー２４の装着部における気体や液体の侵入経路が階段状に屈曲して長くなるので、その分だけパ
ネル部材１７〜２１の接合部の気密性及び液密性が高まり、これにより、一層優れた防水機能、防風機能および防音機能を確保することができる。
【００３２】
図示例では、各パネル部材１７〜２１の外壁側に縦溝２５を形成したが、本発明の壁パネルでは縦溝２５を形成しない構造も採択できる。即ち、縦溝２５を有しない各パネル部材１７〜２１の接合部にシール材２３を押圧カバー２４にて押し付け、且つ、該押圧カバー２４の一対の突起２８を接合部両側に接触させて固定してもよい。このように構成すると、各パネル部材１７〜２１の接合部は、シール材２３によりシール機能が付加されるだけでなく、前記押圧カバー２４の突起２８によっても高いシール機能が得られ、この場合、縦溝２５を加工するための手間とコストが大幅に削減される。
【００３３】
なお、本発明は、本発明の精神を逸脱しない限り種々の改変をなすことができ、そして、本発明が該改変されたものにも及ぶことは当然である。
【図面の簡単な説明】
【００３４】
【図１】本発明の実施例を示し、脱着式壁パネルを設置した建物の全体斜視図。
【図２】図１の脱着式壁パネルのパネル部材及び押圧カバーを示す分解斜視図。
【図３】図２のパネル部材間の接合部を示し、（ａ）は前記接合部にシ−ル材を当て付けたときの状態を示す拡大斜視図、（ｂ）は前記シ−ル材を押圧カバーで押し付けたときの状態を示す拡大斜視図。
【図４】図３のパネル部材及び押圧カバーの取り付け状態を説明する詳細図。
【図５】実施例に係る押圧カバーの固定部の一例を示し、（ａ）は押圧カバーの上端部の固定構造の説明図、（ｂ）は押圧カバーの下端部の固定構造の説明図。
【図６】従来例を示し、壁パネルを設置した建物の全体斜視図。
【符号の説明】
【００３５】
１１  建物（ユニットハウス）
１３  脱着式壁パネル
１５  上梁
１６  下梁（基礎土台）
１７〜２１  パネル部材
２３  シール材
２４  押圧カバー
２５  縦溝
２７  背板
２８  突起
３１  保持部材
３２  支持プレート
３３  押え金具
【図１】
2008095279.tif 000003
【図２】
2008095279.tif 000004
【図３】
2008095279.tif 000005
【図４】
2008095279.tif 000006
【図５】
2008095279.tif 000007
【図６】
2008095279.tif 000008